(57)【要約】【課題】屑落しアームを押圧するコイルばねの破損を防止することができるようにしたロータリダイカッタの打抜き屑除去装置を提供することである。【解決手段】ナイフシリンダ２の外周に取付けた抜き型３にシートを所定の形状に打抜く打抜き刃４と、その打抜きによって形成される打抜き屑ａを保持する保持歯５とを取付けると共に、前記打抜き刃４の外周囲にヒンジ部材６を取付ける。ヒンジ部材６に保持歯５に保持された打抜き屑ａの排除用の揺動可能な屑落しアーム１０と、その屑落しアーム１０を抜き型３の表面に重なる方向に向けて付勢するコイルばね１３とを支持する。屑落しアーム１０の表面にストッパ１７を設け、屑落しアーム１０を伏倒位置から起立方向にほぼ９０°回動させたとき、ストッパ１７とコイルばね１３に設けた押圧片１４とを当接させて屑落しアーム１０が必要以上に揺動されるのを防止し、コイルばね１３の破損を防止する。【選択図】  図２
2005007543.tif 000002
【特許請求の範囲】
【請求項１】
アンビルシリンダに対設されたナイフシリンダの外周に円弧状の抜き型を取付け、その抜き型にシートを所定の形状に打抜く打抜き刃と、その打抜き刃の外側にヒンジ部材とを取付け、前記ヒンジ部材によって揺動可能な屑落しアームと、その屑落しアームを抜き型の表面に向けて押圧する押圧片が設けられたコイルばねとを支持し、前記抜き型とナイフシリンダとに形成されて屑落しアームで覆われる貫通孔に押出し棒を挿入し、その押出し棒をナイフシリンダの内部に設けられた偏心シリンダの回転により半径方向外方に移動させて屑落しアームを揺動させ、その屑落しアームにより抜き型上に保持されてナイフシリンダの周方向に搬送される打抜き屑を外側に押し出すようにしたロータリダイカッタの打抜き屑除去装置において、前記屑落しアームに、前記コイルばねの押圧片に対する当接によって起立方向に揺動させた屑落しアームをその先端が貫通孔上から周方向に後退した起立位置で停止させるストッパを設けたことを特徴とするロータリダイカッタの打抜き屑除去装置。
【請求項２】
前記ストッパが、屑落しアームの表面に固着した突片から成る請求項１に記載のロータリダイカッタの打抜き屑除去装置。
【請求項３】
前記ストッパが、屑落しアームの折曲げによって形成された段部から成る請求項１に記載のロータリダイカッタの打抜き屑除去装置。
【請求項４】
前記ストッパが、プレス成形によって形成された突起から成る請求項１に記載のロータリダイカッタの打抜き屑除去装置。
【発明の詳細な説明】
【０００１】
【発明の属する技術分野】
この発明は、段ボールシート等のシートを所定の形状に打抜くロータリダイカッタの打抜き屑除去装置に関するものである。
【０００２】
【従来の技術】
シートを所定の形状に打抜くロータリダイカッタは、アンビルシリンダと、そのアンビルシリンダに対設されたナイフシリンダを有し、そのナイフシリンダの外周に抜き型を取付け、前記アンビルシリンダとナイフシリンダを逆方向に回転し、その両シリンダ間に送り込まれるシートを前記抜き型に取付けた打抜き刃によって所定の形状に打抜くようにしている。
【０００３】
打抜き刃の打抜きによってシートには製品部と、その外側に打抜き屑が形成され、製品部はシートの搬送方向に搬送されると共に、打抜き屑は抜き型上に保持された状態でナイフシリンダの周方向に搬送され、ナイフシリンダの下部まで搬送されたとき、抜き型上から除去される。
【０００４】
打抜き屑を除去する打抜き屑除去装置として、特許文献１に記載されたものが従来から知られている。
【０００５】
上記特許文献１に記載された打抜き屑除去装置においては、抜き型に取付けられた打抜き刃の外周囲にヒンジ部材を取付け、そのヒンジ部材によって先端部が打抜き屑の下側に配置される揺動可能な屑落しアームとコイルばねとを支持し、そのコイルばねに設けられた押圧片を屑落しアームの表面に当接させて、屑落しアームを抜き型の表面に重なる方向に付勢している。
【０００６】
また、抜き型およびナイフシリンダに形成されて屑落しアームで覆われる貫通孔に押出し棒を挿入し、ナイフシリンダの内部には、そのナイフシリンダの中心に対する偏心位置を中心にして回動される偏心シリンダを設け、その偏心シリンダの回転により押出し棒をナイフシリンダの半径方向外方に移動させ、その押出し棒の押圧により屑落しアームを起立する方向に揺動させて、抜き型上から打抜き屑を押し出すようにしている。
【０００７】
上記打抜き屑除去装置においては、ヒンジ部材に支持されたピンによってコイルばねを支持しており、そのコイルばねの外周上部が打抜き刃の刃先より外側に位置すると、コイルばねがシートやアンビルシリンダに干渉するため、コイルばねとしては外径の小さなものを用いる必要がある。
【０００８】
また、ナイフシリンダが高速回転されると、屑落しアームに遠心力が作用し、その遠心力によって屑落しアームが起立する方向に揺動すると、屑落しアームの先端部が打抜き屑の上側に配置されて打抜き屑を排除することができず、また、シートやアンビルシリンダに当接して変形し、あるいは破損することになるため、コイルばねとしては、線径の太い弾性力の大きいコイルばねを用いる必要がある。
【０００９】
【特許文献１】
実開昭６３−１９７０９７号公報
【００１０】
【発明が解決しようとする課題】
ところで、上記従来の打抜き屑除去装置においては、ナイフシリンダの外周に対する抜き型の取付け後、屑落しアームによって覆われる貫通孔に押出し棒を挿入して屑落しの準備とする必要があり、その押出し棒の挿入時、屑落しアームを起立方向に揺動させ、抜き型の外周から開放状態の貫通孔に押出し棒を挿入する必要がある。
【００１１】
このとき、屑落しアームは抜き型の表面に重なる伏倒位置から先端が貫通孔上から退避する位置まで揺動させることによって貫通孔に押出し棒を挿入することができるが、屑落しアームを必要以上に揺動させる場合がある。例えば、伏倒位置からほぼ１８０°近くまで揺動させる場合がある。
【００１２】
この場合、コイルばねが大きく捩り変形し、そのコイルばねは外径の小さな線径の太い弾性力の大きいものであるため、コイルばねは弾性限界を超えて変形して弾性力が失われ、あるいは、破損するという不都合があった。
【００１３】
また、コイルばねを支持するピンに大きな曲げ荷重が作用し、ピンが変形したり、あるいは破損するという不都合もあった。
【００１４】
この発明の課題は、屑落しアームを押圧するコイルばねの破損を防止することができるようにしたロータリダイカッタの打抜き屑除去装置を提供することである。
【００１５】
【課題を解決するための手段】
上記の課題を解決するために、この発明においては、アンビルシリンダに対設されたナイフシリンダの外周に円弧状の抜き型を取付け、その抜き型にシートを所定の形状に打抜く打抜き刃と、その打抜き刃の外側にヒンジ部材とを取付け、前記ヒンジ部材によって揺動可能な屑落しアームと、その屑落しアームを抜き型の表面に向けて押圧する押圧片が設けられたコイルばねとを支持し、前記抜き型とナイフシリンダとに形成されて屑落しアームで覆われる貫通孔に押出し棒を挿入し、その押出し棒をナイフシリンダの内部に設けられた偏心シリンダの回転により半径方向外方に移動させて屑落しアームを揺動させ、その屑落しアームにより抜き型上に保持されてナイフシリンダの周方向に搬送される打抜き屑を外側に押し出すようにしたロータリダイカッタの打抜き屑除去装置において、前記屑落しアームに、前記コイルばねの押圧片に対する当接によって起立方向に揺動させた屑落しアームをその先端が貫通孔上から周方向に後退した起立位置で停止させるストッパを設けた構成を採用したのである。
【００１６】
上記のように構成すれば、屑落しアームを起立方向に揺動させると、コイルばねの押圧片がストッパに当接し、その当接によって屑落しアームがさらに同方向に揺動するのが防止される。
【００１７】
このため、貫通孔に対する押出し棒の挿入時、屑落しアームが必要量以上に揺動されることがなく、屑落しアームを押圧するコイルばねやそのコイルばねを支持するピンの破損を防止することができる。
【００１８】
この発明に係るロータリダイカッタの打抜き屑除去装置において、ストッパは、屑落しアームの表面に固着された突片から成るものであってもよく、あるいは、屑落しアームの折曲げによって形成された段部から成るものであってもよい。さらに、プレス成形によって屑落しアームに形成された突起から成るものであってもよい。
【００１９】
【発明の実施の形態】
以下、この発明の実施の形態を図面に基づいて説明する。図１に示すように、アンビルシリンダ１の下方にはナイフシリンダ２が設けられ、その両シリンダ１、２は、同図の矢印方向に回転される。
【００２０】
ナイフシリンダ２の外周には円弧状の抜き型３がボルトの締付けによる手段等を介して着脱自在に取付けられている。抜き型３にはアンビルシリンダ１とナイフシリンダ２間に送り込まれる段ボールシート等のシートＳを所定の形状に打抜く打抜き刃４と、その打抜き刃４の外周囲に、打抜き刃４の打抜きによって形成される打抜き屑ａに刺通してその打抜き屑ａを保持する複数の保持歯５が取付けられている。
【００２１】
また、抜き型３には上記打抜き刃４の外周囲に複数のヒンジ部材６が取付けられている。
【００２２】
図２および図３に示すように、ヒンジ部材６は抜き型３の円弧状表面に沿う円弧状の角形枠から成り、そのヒンジ部材６に左右で対向する一対の軸受部７と、左右で対向する一対の突片８が周方向に間隔をおいて設けられている。
【００２３】
一対の軸受部７間にはアーム支持ピン９が渡され、そのアーム支持ピン９に帯板状の屑落しアーム１０の後端部が支持されている。屑落しアーム１０はアーム支持ピン９を中心として揺動可能とされ、先端部には上記保持歯５が挿入可能な切欠部１１が設けられている。
【００２４】
ヒンジ部材６の一対の突片８間にはピン１２が渡され、そのピン１２によってコイルばね１３が支持されている。コイルばね１３は、押圧片１４の両端部に上記ピン１２によって支持される一対のコイル部１５を設け、各コイル部１５の端にヒンジ部材６の表面に当接される係合片１６を設けた構成とされている。
【００２５】
コイルばね１３の押圧片１４は屑落しアーム１０の表面に当接して、屑落しアーム１０を抜き型３の表面に重なる方向に向けて付勢している。
【００２６】
ここで、コイルばね１３は、ナイフシリンダ２の高速回転時に遠心力によって屑落しアーム１０が起立する方向に揺動するのを防止するため、線径の太い線材で形成されて大きな弾性力を有し、また、コイル部１５はナイフシリンダ２の回転時にシートＳやアンビルシリンダ１に当接するのを避けるため小径とされている。
【００２７】
屑落しアーム１０の表面にはストッパ１７が設けられている。ストッパ１７は屑落しアーム１０の表面に溶接等の手段によって固着された突片から成る。このストッパ１７は屑落しアーム１０を抜き型３の表面に重なる伏倒位置から起立方向にほぼ９０°揺動させたときコイルばね１３の押圧片１４と当接する位置に設けられ、そのストッパ１７と押圧片１４の当接によって屑落しアーム１０はさらに同方向に揺動するのが防止される。
【００２８】
なお、実施の形態では、屑落しアーム１０の起立方向への揺動制限角度を伏倒位置からほぼ９０°としているが、屑落しアーム１０の先端が後述する貫通孔１８の上方から周方向に少し後退した位置を揺動制限角度の最小値とし、最大値は１４５°程度とする。
【００２９】
図１および図３に示すように、ナイフシリンダ２および抜き型３には貫通孔１８が多数形成され、屑落しアーム１０によって覆われた貫通孔１８には押出し棒１９が挿入されている。
【００３０】
押出し棒１９はナイフシリンダ２の内部に組込まれた偏心シリンダ２０の外周に当接している。偏心シリンダ２０はナイフシリンダ２の中心に対する偏心位置に回転中心をもち、その偏心シリンダ２０の回転によって押出し棒１９は半径方向外方に押し出される。このとき、屑落しアーム１０は押出し棒１９で押圧されて起立する方向に揺動する。
【００３１】
いま、屑落しアーム１０によって覆われる貫通孔１８に押出し棒１９を挿入した状態でアンビルシリンダ１とナイフシリンダ２とを図１の矢印で示す方向に回転し、その両シリンダ１、２間にシートＳを送り込むと、抜き型３に設けられた打抜き刃４によってシートＳに打抜き切断線が形成され、その打抜き切断線の内側に製品部と外側に打抜き屑ａとが形成される。
【００３２】
製品部は打抜き刃４の内側に設けられた図示省略の弾性部材の押圧によって打抜き刃４の内側から押し出されてシートＳの搬送方向に搬送される。
【００３３】
一方、打抜き屑ａは保持歯５の刺通により保持されてナイフシリンダ２の周方向に搬送され、その打抜き屑ａがナイフシリンダ２の下部まで搬送されると、偏心シリンダ２０の回転により押出し棒１９が半径方向外方に移動する。このとき、押出し棒１９は屑落しアーム１０を押圧するため、屑落しアーム１０が揺動し、その屑落しアーム１０により打抜き屑ａが押圧されて保持歯５から排出され、下方に落下する。
【００３４】
ここで、屑落しアーム１０を押圧により揺動させる押出し棒１０は、ナイフシリンダ２に対する抜き型３の取付け後において、貫通孔１８に挿入される。
【００３５】
押出し棒１９の挿入に際しては、屑落しアーム１０を起立する方向に揺動させ、図４に示すように、貫通孔１８を開放状態として抜き型３の外側からその貫通孔１８に押出し棒１９を挿入する。
【００３６】
ここで、屑落しアーム１０を起立方向に揺動させると、コイルばね１３の押圧片１４が押圧されてコイルばね１３が捩り変形する。屑落しアーム１０が抜き型３の表面に重なる伏倒位置から起立方向にほぼ９０°揺動すると、ストッパ１７がコイルばね１３の押圧片１４に当接し、その当接によって屑落しアーム１０がさらに同方向に揺動するのが防止される。
【００３７】
このため、屑落しアーム１０が必要量以上に揺動されることはなく、コイルばね１３が弾性限界を超えて変形するのが防止される。このため、コイルばね１３の破損を防止することができると共に、そのコイルばね１３を支持するピン１２の変形や破損を防止することができる。
【００３８】
図２に示す例においては、屑落しアーム１０の表面に突片を固着し、その突片をストッパ１７としているが、ストッパ１７はこれに限定されるものではない。
【００３９】
例えば、図５に示すように、屑落しアーム１０の折曲げによって段部を形成し、その段部をストッパ１７としてもよい。あるいは、図６および図７に示すように、プレス成形によって屑落しアーム１０の表面側に突出する突起を設け、その突起をストッパ１７としてもよい。突起の数は任意であり、複数設ける場合は、屑落しアーム１０の幅方向で並列するように設ける。
【００４０】
【発明の効果】
以上のように、この発明においては、屑落しアームの表面に設けたストッパとコイルばねの押圧片の当接によって屑落しアームの起立方向の揺動量を制限するようにしたので、貫通孔に対する押出し棒の挿入時に屑落しアームが必要以上に揺動されるのを防止することができ、コイルばねの破損を防止することができる。
【図面の簡単な説明】
【図１】この発明に係るロータリダイカッタの打抜き屑除去装置の実施の形態を示す縦断正面図
【図２】図１の打抜き屑除去装置部を拡大して示す断面図
【図３】図２の平面図
【図４】押出し棒の挿入状態を示す断面図
【図５】屑落しアームに設けられるストッパの他の例を示す断面図
【図６】屑落しアームに設けられるストッパのさらに他の例を示す平面図
【図７】図６の縦断正面図
【符号の説明】
１  アンビルシリンダ
２  ナイフシリンダ
３  抜き型
４  打抜き刃
６  ヒンジ部材
１０  屑落しアーム
１３  コイルばね
１４  押圧片
１７  ストッパ
１８  貫通孔
１９  押出し棒
２０  偏心シリンダ
【図１】
2005007543.tif 000003
【図２】
2005007543.tif 000004
【図３】
2005007543.tif 000005
【図４】
2005007543.tif 000006
【図５】
2005007543.tif 000007
【図６】
2005007543.tif 000008
【図７】
2005007543.tif 000009